(57)【要約】２つの光学素子間に配置された、空気が充填された折りたたみ式キャビティを有する眼球内レンズであって、外力によって圧縮された後に、空気が、折りたたみ式キャビティの光学領域からその周囲の触覚領域に移送される。
2021534947.tif 000002
【特許請求の範囲】
【請求項１】
部分的に流体が充填された眼球内レンズであって、第１の変形不可能な光学素子であって、第２の変形可能な光学素子に対し、その周囲がシールされることで、シールされ、流体が充填された折りたたみ式キャビティを形成しており、前記第１の変形不可能な光学素子と前記第２の変形可能な光学素子との各々が、中心の透明な光学領域と、前記第１の変形不可能な光学素子および前記第２の変形可能な光学素子のそれぞれに関連付けられ、かつ、各々が互いに対してシールするように接続されて前記シールされた外辺部を形成する第１の触覚領域及び第２の触覚領域とを有する前記第１の変形不可能な光学素子を備え、前記第１の光学素子が、その上側表面に凸形状を有し、前記凸状の上側表面の接触領域が、前記変形可能な光学素子の接触領域を押圧し、前記第１の光学素子の前記光学領域と前記第２の光学素子の前記光学領域との間の残りのエリアにエアスペースを残している、眼球内レンズ。
【請求項２】
前記シールされ、流体で充填された折りたたみ式キャビティが、前記第１の光学素子の前記光学領域と前記第２の光学素子の前記光学領域との間に位置する光学領域と、前記光学領域と、前記触覚領域の前記シールされた外辺部との間に位置する触覚領域とを含み、前記流体で充填された折りたたみ式キャビティが、前記光学領域と前記触覚領域との間を連通している少なくとも１つのチャンネルを有することにより、毛様体筋の張力によって生成された外力が、前記光学素子の前記光学領域の前記外辺部に向けられた場合、前記流体で充填されたキャビティの前記光学領域が圧縮されることで、キャビティ内の流体を、前記少なくとも１つの連通するチャネルを通して前記流体で充填されたキャビティの前記触覚領域に向けて排出し、前記第１の光学素子の光学表面と前記第２の光学素子の光学表面とが互いに対して圧縮されることにより、前記目の焦点を遠位の対象に合わせ、また、それにより、前記変形可能な光学素子の弾性により、前記毛様体筋の張力が低減された際に、前記圧縮力が低減される、請求項１に記載の眼球内レンズ。
【請求項３】
前記流体が空気である、請求項１に記載の眼球内レンズ。
【請求項４】
前記変形可能な光学素子の接触領域を押圧する、前記第１の光学素子の前記凸状の上側表面の前記接触領域が、前記第１の光学素子の前記凸状の上側表面の頂点である、請求項１に記載の眼球内レンズ。
【請求項５】
前記光学領域と、前記シールされ、流体で充填された折りたたみ式キャビティの前記触覚領域との間を連通する前記少なくとも１つの開口が、前記変形可能な光学素子の前記下側表面に形成され、前記変形可能な光学素子の前記下側表面に形成された複数の径方向チャンネルと相互接続された円形チャンネルを備えている、請求項２に記載の眼球内レンズ。
【請求項６】
前記光学領域と前記触覚領域との間を連通する前記少なくとも１つの開口が、前記変形不可能な光学素子の前記上側表面に形成され、前記変形不可能な光学素子の前記上側表面に形成された複数の径方向チャンネルと相互接続された円形チャンネルを備えている、請求項２に記載の眼球内レンズ。
【請求項７】
前記第１の変形不可能な光学素子の前記上側凸状表面と、前記第２の変形可能な光学素子の前記下側表面とが、短い曲率半径で形成されている、請求項２に記載の眼球内レンズ。
【請求項８】
前記毛様体筋の張力を前記眼球内レンズに伝達するための眼球内構造と組み合わせて、請求項１から請求項７のいずれか一項に記載の眼球内レンズを提供することによって提供される、目の水晶体包内における置き換えのための、順応する眼球内レンズの提供方法。
【請求項９】
前記第１の光学素子及び前記第２の光学素子が、前記第１の変形不可能な光学素子が前記第２の変形可能な光学素子の前方に配置されているように、前記眼内で向けられている、請求項８に記載の方法。
【発明の詳細な説明】
【技術分野】
【０００１】
関連出願の相互参照
本発明は、２００９年２月１９日に公表された、ＩＮＦＬＡＴＡＢＬＥ  ＩＮＴＲＡ−ＯＣＵＬＡＲ  ＬＥＮＳ／ＬＥＮＳ  ＲＥＴＡＩＮＥＲと題する国際出願公開第ＷＯ２００９／０２１３２７号、ならびに、２０１４年８月１４日に公表された、ＥＸＰＡＮＤＡＢＬＥ  ＳＵＳＰＥＮＳＩＯＮ  ＳＹＳＴＥＭＳ  ＦＯＲ  ＩＮＴＲＡ−ＯＣＵＬＡＲ  ＬＥＮＳＥＳと題する国際出願公開第ＷＯ２０１４／０２１３９１号、及び２００９年２月１９日に公表された、ＰＮＥＵＭＡＴＩＣ  ＩＮＴＲＡ−ＯＣＵＬＡＲ  ＬＥＮＳと題する国際出願公開第ＷＯ２００９／０２１３２６号に開示された、本出願人の膨張可能なレンズ／レンズ保持器に関する。
【０００２】
本発明は、目の中の生来の水晶体スペースに、毛様体筋／小帯／水晶体包複合体によって加えられる張力に応じて湾曲の程度を変化させることができる眼球内レンズに関する。
【背景技術】
【０００３】
水晶体摘出の後に、毛様体筋／提靱帯／水晶体包複合体の自然の運動をふたたび関わらせる能力を有し、老眼が、遠位から近位に焦点をシフトさせるその能力を回復することを可能にする眼球内レンズが、出てきている。この競合する分野では、これら新たなレンズタイプを、小さな角膜切開を通して眼内に挿入する能力が非常に注目されている。
【０００４】
現在、Ｐｏｗｅｒ  Ｖｉｓｉｏｎ  Ｃｏｒｐｏｒａｔｉｏｎによって製造された、Ｆｌｕｉｄ  Ｌｅｎｓ（商標）と呼ばれる研究装置などの、液体が充填された眼球内レンズが、様々な制約を示している。これらレンズタイプの内側に留められた液体は、近位から遠位への目の焦点のシフトの日々の手順の間、圧縮され、デバイスの様々な領域に送られる。この繰り返しの動作により、デバイスをともに保持するシールされた縁部が傷つきやすくなり、経時的に破裂する。この性質は、デバイスのシールされた縁部をともに保持する接着剤の接着部を、液体が溶融し、弱める傾向によって高められる。このことに加え、液体で充填された眼球内レンズは、扱いにくく、挿入が面倒である傾向にあり、これら眼球内レンズが、挿入プロセスの間に特に損傷を受けやすくなる。このことは、目の生来の水晶体スペース内に放出される前に、眼球内レンズが圧縮され、狭い小管を通して押し退けられることを伴う。
【０００５】
空気が充填された眼球内レンズは、流体が充填された眼球内レンズより薄く、結果として、概して挿入が容易である。空気が充填された眼球内レンズは、その構造的構成要素をともに保持する接着剤の接着部の完全性を妨げる液体を有していない。しかし、これら空気が充填された眼球内レンズは、内部反射及びグレアに本来的に悩まされる。この煩わしい事象に加え、空気が充填された眼球内レンズの屈折特性は、気圧のわずかな変化によってさえ、潜在的に変化され得る。現在の順応する眼球内レンズの設計のオプションに直面する限定に鑑み、向上が必要である。
【０００６】
関連技術の前述の実施例は、例示的であり、排他的ではないことが意図されている。関連技術の他の限定は、本明細書を読み、図面を研究することで、当業者には明らかとなるであろう。
【発明の概要】
【０００７】
以下の実施形態、及びその態様は、例示的かつ説明的であり、範囲を制限しないものと意図されている、システム、ツール、及び方法に関連して、記載及び説明される。様々な実施形態では、上述の問題の１つまたは複数が低減されるか除去され、一方、他の実施形態は、他の向上のためのものである。
【０００８】
一実施形態によれば、混成物の眼球内レンズが提供される。この混成物の眼球内レンズは、固体の光学素子と、空気で充填された光学素子など、流体で充填された光学素子との両方を含み、順応の間、固形光学素子から、部分的に液体または空気が充填された光学素子に変換される。一実施形態によれば、部分的に空気が充填された眼球内レンズは、比較的変形不可能な光学素子によって一方側で包まれた、中空の空気が充填されたレンズの区画を備え、この変形不可能な光学素子は、比較的変形可能である、第２の光学素子により、その凸状の頂点で接触する。変形不可能な光学素子の頂点に接触する変形可能な光学素子の表面の形状の輪郭は、様々な構成にすることができる。この形状の輪郭は、平坦、凸状、凹状、多焦点、または非球面であるが、ただし、デバイスがその慣習的な休止状態にある場合、光学素子の残りの部分の間にエアスペースが残される。２つの光学素子の触覚部は、互いに接触するように集まり、それらの外辺部の周りでともに接着され、それにより、中空の、空気が充填された区画のサイズ及び形状を規定する。２つの光学素子を有するものとちょうど同じように、空気が充填された区画は、それにより、光学領域と触覚領域とを備えている。
【０００９】
２つの光学素子の光学領域の周囲の領域が、対向する外力によってともに圧縮された場合、変形可能な光学素子は、変形不可能な光学素子の形状に対応するように曲がる。このプロセスの間、通常は２つの光学領域間の空間を占める空気が、触覚部間のエアスペースに向けて排出される。十分な対向する力が２つの光学素子の光学領域に伝えられると、その内側表面が整列するとともに接続し、ここで、粘着作用を伴わず、後に分離することができる。この瞬間、本発明の２つの態様が達成される。第１に、一対のレンズの光学領域が、もはや、内部反射及びグレアを生成する空気のインターフェースを有していない。第２に、目は、大気圧の変化によって影響されることなく、遠位の対象に焦点を合わせたままにすることができる。このプロセスは、変形可能な特性を有する光学素子の一方または両方で達成することができる。
【００１０】
径方向のスロットは、変形可能な光学素子の下側表面に設けられている場合があり、変形可能な光学素子の光学領域の外辺部を囲み、変形可能な光学素子の周囲のチャンネルに接続され、光学領域と、空気が充填された区画の触覚領域との間を空気が自在に循環できるようにされる場合がある。このチャンネル、及び径方向のスロットのネットワークは、設計上の任意選択的特徴である。この設計により、球状のシェルが、その形状を変形させられた場合に生じ得る材料の歪曲を制御するための手段も提供される。径方向のスロットの幅は、必要に応じて空気の流れを変化させるように選択することができる。
【００１１】
より詳細には、一実施形態によれば、第１の変形不可能な光学素子であって、第２の変形可能な光学素子に対し、その周囲がシールされて、シールされ、空気が充填された折りたたみ式キャビティを形成し、第１の変形不可能な光学素子と第２の変形可能な光学素子との各々が、中心の光学領域と、第１の変形不可能な光学素子と第２の変形可能な光学素子とのそれぞれに関連付けられた第１の触覚領域及び第２の触覚領域とを有し、かつ、各々が互いに対してシールするように接続されてシールされた外辺部を形成する、第１の変形不可能な光学素子を備えた、部分的に空気が充填された眼球内レンズが提供される。第１の光学素子は、その内側表面に凸形状を有し、凸状の内側表面の頂点が、変形可能な光学素子の中心領域を押圧し、第１の光学素子の光学領域と第２の光学素子の光学領域との間の残りのエリアに、シールされた折りたたみ式のエアスペースを残す。
【００１２】
さらなる態様によれば、シールされ、空気が充填された折りたたみ式キャビティは、第１の光学素子の光学領域と第２の光学素子の光学領域との間に位置する光学領域と、触覚領域であって、光学領域と、触覚領域のシールされた外辺部との間に位置する触覚領域とを含む場合があり、空気で充填された折りたたみ式キャビティが、光学領域と触覚領域との間を連通している少なくとも１つの開口を有し、それにより、毛様体筋の張力によって生成された外力が、光学素子の光学領域の外辺部に向けられた場合、空気で充填されたキャビティの光学領域が圧縮され、それにより、キャビティ内の空気を、連通するチャネル、ならびに、第１の光学素子の光学表面及び第２の光学素子の光学表面を通して空気で充填されたキャビティの触覚領域に向けて排出し、第１の光学素子の光学表面と第２の光学素子の光学表面とが、これにより、互いに対して圧縮され、それにより、目の焦点を遠位の対象に合わせ、また、それにより、変形可能な光学素子の弾性により、毛様体筋の張力が低減された際に、圧縮力が低減される。さらなる態様によれば、光学領域と触覚領域との間を連通する少なくとも１つの開口は、複数の径方向のチャンネルと相互接続する円形チャンネルを備えている場合がある。
【００１３】
さらなる態様によれば、毛様体筋の張力をレンズに伝達するための眼球内構造と組み合わせて、前述の特徴を有する眼球内レンズを提供することにより、目の水晶体包内における置き換えのための、順応する眼球内レンズの提供方法が提供される。
【００１４】
本発明のこの光学的構成により、それによってこのレンズ設計が内部反射及びグレアにさらされるのは、空気が２つの光学素子間の空間に戻る際のみである。このグレアの可能性は、２つの光学素子の内部の光学表面が、比較的小さい曲率半径で形成される際に、低減され得る。この可能性は、目の中に向けられた光学素子によってさらに低減され得、それにより、変形不可能な光学素子が、変形可能な光学素子の前方に配置されるようになっている。
【００１５】
上述の例示的態様及び実施形態に加え、さらなる態様及び実施形態が、図面を参照すること、及び、以下の詳細な説明を研究することにより、明らかとなるであろう。混成物のレンズの区画に包含される気体として空気が記載されているが、集合的に流体と称される、他の透過性の気体または液体を、結果としての屈折率の変化を伴って、代替させることができる。
【００１６】
例示的実施形態を、参照する図面で説明する。本明細書に開示の実施形態及び図面は、限定的というよりはむしろ、例示的と考えられることが意図されている。
【図面の簡単な説明】
【００１７】
【図１】一実施形態に係る、空気が充填された眼球内レンズの平面図である。
【図２】近位の対象に目の焦点を合わせている、休止状態にあるか低エネルギ構成の眼球内レンズを示す、図１の線Ａ−Ａに沿って取られた詳細な断面図である。
【図３】遠位の対象に目の焦点を合わせている、圧縮されているか高エネルギ構成の眼球内レンズを示す、図１の線Ａ−Ａに沿って取られた詳細な断面図である。
【図４】近位の対象に目の焦点を合わせている、休止状態にあるか低エネルギ構成の眼球内レンズを示す、図１の線Ｂ−Ｂに沿って取られた詳細な断面図である。
【図５】遠位の対象に目の焦点を合わせている、圧縮されているか高エネルギ構成の眼球内レンズを示す、図１の線Ｂ−Ｂに沿って取られた詳細な断面図である。
【図６】図１に示す空気が充填された眼球内レンズの頂部左側の斜視図である。
【図７】図１に示す空気が充填された眼球内レンズの底部左側の斜視図である。
【発明を実施するための形態】
【００１８】
以下の詳細な説明を通して、特定の詳細が、本発明を当業者がより完全に理解するために説明される。しかし、よく知られている要素は、本開示を不要に不明瞭にすることを避けるために、示されないか、詳細に記載されない場合がある。したがって、詳細な説明及び図面は、限定的意味というよりはむしろ、説明的ものとして解釈されるものとする。この詳細な説明及び特許請求の範囲では、「流体」との用語が使用された場合、この用語は、空気及び他の気体、ならびに液体を含んでいる。
【００１９】
図１は、空気が充填された眼球内レンズ１０の平面図である。眼球内レンズ１０は、中心の円形である透明な光学領域を有する変形可能な光学素子３０と、中心の円形である透明な光学領域を有する変形不可能な光学素子３２とで形成されている場合がある。眼球内レンズ１０は、実質的または完全に透明な材料で形成されている場合がある。眼球内レンズ１０の変形可能な光学素子３０は、円形の溝またはチャンネル１２により、その下側表面３３に境界が定められている。円形の溝またはチャンネル１２は、光学素子３０の下側表面３１に形成された径方向のスロット１４のネットワークに接続されている。眼球内レンズ１０の外辺部は、触覚部２０及び触覚部２２の外側縁部をシールするシール１６によって境界が定められている。眼球内レンズ１０の変形可能な光学素子３０及び変形不可能な光学素子３２のそれぞれの触覚部２０、２２は、シール１６とチャンネル１２との間に延びている。
【００２０】
図２は、近位の対象に目の焦点を合わせている、順応されているか休止状態の空気が充填された眼球内レンズ１０を示す、図１の線Ａ−Ａに沿って取られた断面図である。この状態では、変形可能な光学素子３０と変形不可能な光学素子３２とは、変形不可能な光学素子３２の頂点４０のみで接触する。同様に、このことは図４に示されている。図４は、順応されているか休止状態の空気が充填された眼球内レンズ１０を示す、図１の線Ｂ−Ｂに沿って取られた詳細な断面図である。
【００２１】
図３は、空気が充填された眼球内レンズ１０を示す、図１の線Ａ−Ａに沿って取られた断面図である。ここでは、（「ＩＮＦＬＡＴＡＢＬＥ  ＩＮＴＲＡ−ＯＣＵＬＡＲ  ＬＥＮＳ／ＬＥＮＳ  ＲＥＴＡＩＮＥＲ」と題する、参照される国際出願公開第ＷＯ２００９／０２１３２７号に記載のように）力のベクトルＸが毛様体筋によって眼球内レンズ１０に加えられて、遠位または近位の対象に焦点を合わせるようにレンズを順応させている。
【００２２】
動作時には、図２に示される順応された構成は、眼球内レンズ１０の慣習的な低エネルギ状態を示している。環状の空気が充填された区画１８の光学領域内に存在する空気は、「空気レンズ」の役割を果たす。図３に力のベクトルＸによって示すような外力に応じて、変形不可能な光学素子３２の上側表面３５の形状に対応するように、変形可能な光学素子３０が曲がった場合、変形可能な光学素子３０の内側表面３３は、より凹状になるが、同じ瞬間に、外側表面３１はより凸状になる。これら対応する湾曲の程度の変化は、互いの屈折の影響を無効にする。しかし、変形可能な光学素子３０の形状が変化するのと同時に、光学素子３０、３２間に閉じ込められた空気レンズ１８の形状は、それに応じてより凹状になり、液体の水を含むインターフェースの形状は、変形可能な光学素子３０の外側表面３１と同様に、同じようにより凸状になる。空気レンズ／光学素子のインターフェースの屈折率の差異は、水／光学素子のインターフェースの屈折率の差異より、２．５倍大きい。したがって、（図３及び図５に示す光学素子３０の高エネルギ状態のように）変形可能な光学素子３０の外側表面３１の凸状が増大すると、全体の光屈折レンズ出力が著しく低減される結果となる。このため、明らかな矛盾が示される。眼球内レンズの中心の厚さが増大する場合、遠位の対象に目の焦点が合わせられることになる。
【００２３】
図２から図５の断面図に示すように、空気が充填された区画１８の光学領域１７から吸引された空気は、変形可能な光学素子３０の光学領域が、力のベクトルＸによって図３及び図５に示される外力によって圧縮された場合、空気が充填された区画１８の触覚領域２８に移送される。このプロセスの間、光学領域３０の下側表面３３と光学領域３２の上側表面３５との間の空間１７を通常は占める空気が、触覚部２０、２２間のエアスペース２８に向けて排出される。十分な対向する力が２つの光学素子３０、３２の光学領域に伝えられると、その内側表面３３、３５が整列するとともに接続し、空間１７を収縮させ、ここで、空間１７をふたたび形成するように、粘着作用を伴わず、後に分離することができる。この瞬間、本発明の２つの態様が達成される。第１に、一対のレンズの光学領域が、もはや、内部反射及びグレアを生成する空気のインターフェースを有していない。このグレアの可能性は、２つの光学素子３０、３２の対向する光学表面３３、３５が、比較的小さい曲率半径で形成される際に、低減され得る。この可能性は、目の中に向けられた光学素子によってさらに低減させることができ、それにより、変形不可能な光学素子が、変形可能な光学素子の前方に配置されるようになっている。第２に、目は、大気圧の変化によって影響されることなく、遠位の対象に焦点を合わせたままにすることができる。このプロセスは、変形可能な特性を有する光学素子３０、３２の両方で達成することもできる。変形可能な光学素子３０の弾性により、前述の毛様体筋の張力が低減された際に、圧縮力が低減され、表面３３及び３５を、休んだ状態に戻し、目の焦点を近位の対象に合わせる。
【００２４】
表面３３の近位の変形可能な光学素子３０の光学領域の周囲からの、空気の迅速かつ均一な移送は、径方向のスロット１４によって可能になる。この径方向のスロット１４は、空気をチャンネル１２に搬送し、その後に、空気が充填された区画１８の環状の触覚領域２８の周りの円形のチャンネル１２を介して均一に分配される。周囲のチャンネル１２に接続された径方向のスロット１４は、こうして、光学素子３０の光学領域の外辺部を囲んで、光学領域１７と、空気が充填された区画１８の触覚領域２８との間を空気が自在に循環できるようにされる場合がある。代替的または追加的に、径方向のスロット１４または周囲のチャンネル１２、またはその両方は、変形不可能な光学素子３２の光学領域の外辺部の上側表面に形成されて、同様に、光学領域１７と、空気が充填された区画１８の触覚領域２８との間を空気が自在に循環できるようにされる場合がある。このチャンネル、及び径方向のスロットのネットワークは、設計上の任意選択的特徴である。この設計により、球状のシェルが、その形状を変形させられた場合に生じ得る材料の歪曲を制御するための手段も提供される。径方向のスロット１４及びチャンネル１２の幅は、必要に応じて空気の流れを変化させるように選択することができる。
【００２５】
中空キャビティに沿った光学表面の様々な形状は、目の内で焦点が合わせられたイメージの光学的解像度を調整するため、または、目の焦点の範囲を広げるために、任意の個別の目の特定の光学的要請にマッチするように選択され得る。
【００２６】
変形可能な光学素子３０の断面形状の輪郭は、その形状の回復の時間を加速するために、カスタマイズされ得る。たとえば、変形不可能な光学素子３２の上側表面３３にその頂点で接触する変形可能な光学素子３０の下側表面３３の形状の輪郭は、様々な構成にすることができる。この形状の輪郭は、平坦、凸状、凹状、多焦点、または非球面であるが、ただし、デバイスがその慣習的な休止状態にある場合、光学素子の残りの部分の間にエアスペースが残される。
【００２７】
柔軟に支える構造は、２つの光学インターフェースのいずれかの光学領域の外辺部に設けられ、これらの間の吸引または粘着のリスクを低減させることができる。この吸引または粘着は、それらの光学表面を潜在的にともに束縛し、変形可能な光学素子３０を動かなくし得る。
【００２８】
図２及び図４に示す実施形態では、変形可能な光学素子３０と変形不可能な光学素子３２とは、休んだ状態の間、変形不可能な光学素子３２の頂点４０のみで接触するが、他の実施形態では、休んだ状態の接触ポイントは、光学素子の中心の頂点とは別の場所、たとえば外周に配置することができる。たとえば、「Ｍｅｔｈｏｄ  ａｎｄ  Ａｐｐａｒａｔｕｓ  ｆｏｒ  Ｍｏｄｕｌａｔｉｎｇ  Ｐｒｉｓｍ  ａｎｄ  Ｃｕｒｖａｔｕｒｅ  Ｃｈａｎｇｅ  ｏｆ  Ｒｅｆｒａｃｔｉｖｅ  Ｉｎｔｅｒｆａｃｅｓ」と題する、本出願人の国際出願公開第ＷＯ２０１３／１２６９８６Ａ１号に示される構造を参照されたい。この文献は、参照することにより、本明細書に組み込まれる。
【００２９】
光学素子の構築に必要な材料は、弾性で、強い記憶特性を有し、圧縮されるか、伸ばされるか、別様に変形された後に、そのもとのサイズ及び形状に容易に戻る。良好な形状記憶特性を有する、眼球内レンズの形成に一般的に使用される材料には、シリコーン、シリコーンハイドロゲル、疎水性及び親水性のアクリル樹脂、ポリエチレン、ポリプロピレン、ポリウレタン、ならびにこれらのブロック共重合体が含まれるが、これらには限定されない。
【００３０】
本発明に関して何よりも重要な意図は、眼球内レンズの光学領域内の空気の光学的インターフェースを必要に応じて除去及び置換して、人間の目が、焦点を遠位から近位に、及びその間のすべての点に、効率的かつ予想通りにシフトさせる、その本来の能力を回復することを可能にすることである。
【００３１】
複数の例示的態様及び実施形態を上述してきたが、当業者は、特定の変更、置換、追加、及びこれらのサブの組合せを認識することになる。たとえば、区画１８に包含される流体として空気が記載されているが、他の透過性の気体または液体を、結果としての屈折率の変化を伴って、代替させることができる。したがって、添付の特許請求の範囲、及び後に導入される特許請求の範囲が、すべてのそのような変更、置換、追加、及びこれらのサブの組合せを、全体として、本明細書のもっとも広い解釈に一貫するものとして含むものと解釈されることが意図されている。
【図１】
2021534947.tif 000003
【図２】
2021534947.tif 000004
【図３】
2021534947.tif 000005
【図４】
2021534947.tif 000006
【図５】
2021534947.tif 000007
【図６】
2021534947.tif 000008
【図７】
2021534947.tif 000009
【国際調査報告】
2021534947.tif 000010
2021534947.tif 000011
2021534947.tif 000012
2021534947.tif 000013
2021534947.tif 000014
2021534947.tif 000015